(57)【要約】  本発明の目的は、携帯電子機器に対する入力装置において、入力キーが配置される領域の面積を削減することである。入力装置は、複数の入力キーを表示する表示部と、表示部上に設けられた少なくとも１枚のタッチパネルを含むタッチパネル部と、タッチパネル部によって検出された所定の入力に応じて、すでに表示されている第１の入力キー（６０）と略同一の箇所に第２の入力キー（５２、５４、８０）を表示するように表示部を制御する制御部と、を有する。
2010107009.tif 000002
【特許請求の範囲】
【請求項１】
携帯電子機器に対する入力装置であって、
複数の入力キーを表示する表示部と、
前記表示部上に設けられた少なくとも１枚のタッチパネルを含むタッチパネル部と、
前記タッチパネル部によって検出された所定の入力に応じて、すでに表示されている第１の入力キーと略同一の箇所に第２の入力キーを表示するように前記表示部を制御する制御部と、を備えていることを特徴とする入力装置。
【請求項２】
前記所定の入力は、前記タッチパネル部の所定箇所に対する接触又は押圧であることを特徴とする、請求項１に記載の入力装置。
【請求項３】
前記所定の入力は、前記所定箇所に対する接触又は押圧が所定期間に亘って継続することであることを特徴とする、請求項２に記載の入力装置。
【請求項４】
前記所定の入力は、前記タッチパネル部において第１の所定箇所から第２の所定箇所まで連続して行われた接触又は押圧であることを特徴とする、請求項１に記載の入力装置。
【請求項５】
前記表示部は、前記第１の入力キーの上に前記第２の入力キーを重ね合わせて表示することを特徴とする、請求項１乃至４のいずれか１項に記載の入力装置。
【請求項６】
前記表示部は、前記第１の入力キーの表示を消去して前記第２の入力キーを表示することを特徴とする、請求項１乃至４のいずれか１項に記載の入力装置。
【請求項７】
前記タッチパネル部は、静電容量方式に基づく第１のタッチパネルを有していることを特徴とする、請求項１乃至６のいずれか１項に記載の入力装置。
【請求項８】
前記制御部は、前記第１のタッチパネルによって検出された静電容量に基づいて前記表示部に対する表示内容を制御することを特徴とする、請求項７に記載の入力装置。
【請求項９】
前記制御部は、前記第１のタッチパネルによって検出された静電容量に基づいて入力キーの選択を確定することを特徴とする、請求項７又は８に記載の入力装置。
【請求項１０】
前記タッチパネル部は、前記第１のタッチパネルと前記表示部との間に感圧方式の第２のタッチパネルを有していることを特徴とする、請求項７乃至９のいずれか１項に記載の入力装置。
【請求項１１】
前記制御部は、前記第１のタッチパネルによって検出された静電容量に基づいて前記表示部に対する表示内容を制御するとともに、前記第２のタッチパネルによって検出された圧力の変化に基づいて入力キーの選択を確定することを特徴とする、請求項１０に記載の入力装置。
【請求項１２】
前記第１の入力キーは、テンキーであって、
前記第２の入力キーは、決定キー、方向キー、及びメニューキーのうちの少なくともいずれかを含むことを特徴とする、請求項１乃至１１のいずれか１項に記載の入力装置。
【請求項１３】
請求項１乃至１２のいずれか１項に記載の入力装置を備えていることを特徴とする携帯電子機器。
【請求項１４】
機器本体と前記入力装置とをつなぐ弾性部材をさらに備え、
前記入力装置は、設置面に平行な方向へスライド可能であることを特徴とする、請求項１３に記載の携帯電子機器。
【請求項１５】
前記弾性部材はエラストマーであることを特徴とする、請求項１４に記載の携帯電子機器。
【請求項１６】
前記入力装置の位置を検出する位置検出部を備えていることを特徴とする、請求項１４又は１５に記載の携帯電子機器。
【請求項１７】
前記位置検出部は、前記入力装置に設けられた磁石の位置を検出するホール素子を有していることを特徴とする、請求項１６に記載の携帯電子機器。
【請求項１８】
携帯電子機器に対する入力装置の制御方法であって、
コンピュータが、入力キーを表示する表示部上に設けられた少なくとも１枚のタッチパネルを含むタッチパネル部を介して所定の入力を検出する工程と、
前記表示部にすでに表示されている第１の入力キーと略同一の箇所に第２の入力キーを表示する工程と、を含むことを特徴とする制御方法。
【請求項１９】
コンピュータが、前記タッチパネル部に含まれる静電容量方式に基づく第１のタッチパネルによって検出された静電容量に基づいて、前記表示部に対する表示内容を制御する工程をさらに含むことを特徴とする、請求項１８に記載の制御方法。
【請求項２０】
コンピュータが、前記第１のタッチパネルと前記表示部との間に設けられた感圧方式の第２のタッチパネルによって検出された圧力の変化に基づいて、前記表示部に表示された入力キーの選択を確定する工程をさらに含むことを特徴とする、請求項１９に記載の制御方法。
【請求項２１】
携帯電子機器に対する入力装置を制御するプログラムであって、
入力キーを表示する表示部上に設けられた少なくとも１枚のタッチパネルを含むタッチパネル部を介して所定の入力を検出する処理と、
前記表示部にすでに表示されている第１の入力キーと略同一の箇所に第２の入力キーを表示する処理と、をコンピュータに実行させることを特徴とするプログラム。
【請求項２２】
前記タッチパネル部に含まれる静電容量方式に基づく第１のタッチパネルによって検出された静電容量に基づいて、前記表示部に対する表示内容を制御する処理をさらにコンピュータに実行させることを特徴とする、請求項２１に記載のプログラム。
【請求項２３】
前記第１のタッチパネルと前記表示部との間に設けられた感圧方式の第２のタッチパネルによって検出された圧力の変化に基づいて、前記表示部に表示された入力キーの選択を確定する処理をさらにコンピュータに実行させることを特徴とする、請求項２２に記載のプログラム。
【発明の詳細な説明】
【技術分野】
【０００１】
（関連出願についての記載）
本発明は、日本国特許出願：特願２００９−０６４７９１号（２００９年３月１７日出願）の優先権主張に基づくものであり、同出願の全記載内容は引用をもって本書に組み込み記載されているものとする。【０００２】
本発明は、携帯電子機器の入力装置、その制御方法、及びプログラムに関する。
【背景技術】
【０００３】
初期の携帯電話機において主に利用される機能は、電話発信及び電話番号の登録であった。これらの機能を使用する際には、番号又は簡単な文字の入力操作のみが必要とされる。したがって、携帯電話機の入力装置は、テンキーを有するのみで十分であった。【０００４】
しかし、携帯電話機に対してメール、メニュー表示、及び、インターネットの機能が付与され、入力操作も多様化したことから、近年の携帯電話機の入力装置は十字キー及びメニューキーを有している。【０００５】
一部の携帯電話機は、入力時間を短縮するために、十字キーの方向キーとして、所定の方向にカーソルを移動させるジョグダイヤルを有している。さらに、一部の携帯電話機は、入力操作の利便性を向上させて入力時間を短縮するために、十字キーのセンターキーとして、任意の方向へカーソルを移動させるアナログポインタを有している。【０００６】
最近では、携帯電話機におけるメール、メニュー表示、及びインターネットの機能がさらに複雑化するとともに、携帯電話に対してゲーム、カメラ、音楽再生、及びテレビ受信の機能も追加された。したがって、携帯電話機の入力装置に対して、さらに入力操作の操作性を向上させることが求められている。【０００７】
図１６（Ａ）は、特許文献１に記載された携帯電話機の平面図である。図１６（Ｂ）を参照すると、十字キー１５０は、第２筐体１３０のキー配置面において中央よりも第１筐体１３１寄りに配置されている。図１６（Ｃ）を参照すると、テンキー１６０は、十字キー１５０に対して、第２筐体１３０のキー配置面において、十字キー１５０を挟んで第１筐体１３１の反対側に配置されている。図１６（Ｄ）を参照すると、この携帯電話機において、メニューキー１８０は、第２筐体１３０のキー配置面において、十字キー１５０の周囲に配置されている。【０００８】
図１７（Ａ）を参照すると、十字キー１５０は、丸型のセンターキー１５１及び方向キー１５４を有する。センターキー１５１は、アナログポインタ１５３であると同時に、決定キー１５２でもある。方向キー１５４は、「上」キー１５５、「下」キー１５６、「左」キー１５７、及び「右」キー１５８を有する。【０００９】
図１７（Ｂ）を参照すると、テンキー１６０は、発信キー１７１、クリアキー１７２、電源キー１７３、「１」キー１６１、「２」キー１６２、「３」キー１６３、「４」キー１６４、「５」キー１６５、「６」キー１６６、「７」キー１６７、「８」キー１６８、「９」キー１６９、「０」キー１７０、「＊」キー１７４、及び、「＃」キー１７５を含む。【００１０】
図１７（Ｃ）を参照すると、メニューキー１８０は、メールキー１８１、インターネットキー１８２、第１メニューキー１８３、及び第２メニューキー１８４を有する。【００１１】
図１８（Ａ）は、十字キー１５０の断面図である（図１７（Ａ）の断面ａ１−ａ２）。携帯電話機は、十字キー１５０、センターキー１５１、方向キー１５４、永久磁石１１４、ホール素子１４２、エラストマー１２０、突起１９３、メタルドーム１９２、第１基板１９１、及び第２基板１４１を有する。【００１２】
永久磁石１１４は、センターキー１５１の内部に設けられる。ホール素子１４２は、永久磁石１１４の位置を検出する。エラストマー１２０は、センターキー１５１と方向キー１５４を弾性的に繋ぐとともに、防塵及び防水の機能を有する。突起１９３は、エラストマー１２０から第２筐体１３０の内側に向かって突き出ている。メタルドーム１９２は、突起１９３によってつぶされることで接点動作を行う。第１基板１９１は、メタルドーム１９２が配置されている。第２基板１４１は、ホール素子１４２が配置されている。【００１３】
図１８（Ｂ）は、テンキー１６０及びメニューキー１８０の断面図である（図１７（Ｃ）の断面ａ３−ａ４）。携帯電話機は、エラストマー１２０、突起１９３、メタルドーム１９２、及び、第１基板１９２を有する。【００１４】
エラストマー１２０は、テンキー１６０とメニューキー１８０を弾性的に繋ぐとともに、防塵及び防水の機能を有する。突起１９３は、エラストマー１２０から第２筐体１３０の内側に向かって突き出ている。メタルドーム１９２は、突起１９３によってつぶされることで接点動作を行う。第１基板１９１は、メタルドーム１９２が配置されている。なお、図１８（Ａ）のエラストマー１２０と図１８（Ｂ）のエラストマー１２０は繋がっている。【００１５】
図１９（Ａ）を参照すると、第１筐体１３１の表示画面１３２に表示されたポインタ１３３は、センターキー１５１によって移動される。図１９（Ｂ）を参照すると、センターキー１５１を左斜め上方へ移動すると、表示画面１３２に表示されたポインタ１３３は、左斜め上方へ移動する。図１９（Ｃ）を参照すると、センターキー１５１を押下すると、表示画面１３２において選択項目が確定する。【００１６】
センターキー１５１をアナログポインタ１５３として使う場合には、センターキー１５１を第２筐体１３０のキー配置面に並行な任意方向へスライドさせる。このとき、ホール素子１４２によって永久磁石１１４の位置が検出され、第１筐体１３１の表示画面１３２に表示されたポインタ１３３は任意の方向へ移動される。【００１７】
センターキー１５１を決定キー１５２として使う場合には、センターキー１５１を押下する。このとき、メタルドーム１９２がつぶされて接点動作が行われ、第１筐体１３１の表示画面１３２において選択項目が確定する。【００１８】
方向キー１５４を使う場合には、方向キー１５４を押下する。このとき、メタルドーム１９２がつぶされて接点動作が行われ、第１筐体１３１の表示画面１３２において、カーソルの所定の方向に移動する。【００１９】
テンキー１６０を使う場合には、テンキー１６０を押下する。ことのき、メタルドーム１９２がつぶされて接点動作が行われ、第１筐体１３１の表示画面１３２において、番号又は文字が入力される。【００２０】
メニューキー１８０を使う場合には、メニューキー１８０を押下する。このとき、メタルドーム１９２がつぶされて接点動作が行われ、第１筐体１３１の表示画面１３２において、機能が選択される。
【先行技術文献】
【特許文献】
【００２１】
【特許文献１】特開２００４−６２４４７号公報
【発明の概要】
【発明が解決しようとする課題】
【００２２】
なお、上記特許文献の全開示内容はその引用をもって本書に繰込み記載する。【００２３】
以下の分析は、本発明者によってなされたものである。上記に示した構造においては、次の問題がある。【００２４】
まず、入力操作に要する時間が長いという問題がある。図２０（Ａ）は、テンキー１６０の「５」キー１６５を入力する様子を示す図である。図２０（Ｂ）は、センターキー１５１を押下する（すなわち、決定キー１５２を入力する）様子を示す図である。例えば、メールの文中に文字を入力する場合、第２筐体１３０のキー配置面において、テンキー１６０によって文字を選択した後、センターキー１５１へ親指を移動させて、入力すべき文字を確定する。したがって、「５」キー１６５とセンターキー１５１との距離Ｌ０が長い場合には、親指の移動距離が長くなり、文字を入力するのに長い時間を要する。【００２５】
また、センターキー１５１のスライド（すなわち、アナログポインタ１５３の操作）が困難であるという問題がある。図２１（Ａ）は、センターキー１５１をスライド操作する様子を示す図である。冬場のように親指の皮膚が乾燥している場合には、親指とセンターキー１５１の間の摩擦力が小さくなる。かかる場合において、センターキー１５１をスライドさせる（すなわち、アナログポインタ１５３として操作する）ときには、センターキー１５１上で親指が滑ってスライド操作がうまくできないという問題がある。【００２６】
さらに、第２筐体１３０の端部２００に設けられたキーの入力操作が困難であるという問題がある。図２２（Ａ）を参照すると、人差し指を、第２筐体１３０の角に引っ掛けた状態で入力操作をする場合に、端部２００に設けられたキーを押下するときには、親指が十分に届かず、キーの押下が困難となる。図２２（Ｂ）を参照すると、人差し指で、第２筐体１３０の下側を支えた状態で入力操作をする場合に、第２筐体１３０の端部２００に設けられたキーを押下するときには、親指が十分に届かず、キーの押下が困難となる。【００２７】
そこで、携帯電子機器の入力装置において、入力キーが配置される領域の面積を削減することが課題となる。本発明の目的は、かかる課題を解決する携帯電子機器の入力装置、その制御方法、及びプログラムを提供することにある。
【課題を解決するための手段】
【００２８】
本発明の第１の視点に係る入力装置は、複数の入力キーを表示する表示部と、表示部上に設けられた少なくとも１枚のタッチパネルを含むタッチパネル部と、タッチパネル部によって検出された所定の入力に応じて、すでに表示されている第１の入力キーと略同一の箇所に第２の入力キーを表示するように表示部を制御する制御部と、を備えている。【００２９】
本発明の第２の視点に係る携帯電子機器は、上記の入力装置を備えている。【００３０】
本発明の第３の視点に係る入力装置の制御方法は、携帯電子機器に対する入力装置の制御方法であって、コンピュータが、入力キーを表示する表示部上に設けられた少なくとも１枚のタッチパネルを含むタッチパネル部を介して所定の入力を検出する工程と、表示部にすでに表示されている第１の入力キーと略同一の箇所に第２の入力キーを表示する工程と、を含む。【００３１】
本発明の第４の視点に係るプログラムは、携帯電子機器に対する入力装置を制御するプログラムであって、入力キーを表示する表示部上に設けられた少なくとも１枚のタッチパネルを含むタッチパネル部を介して所定の入力を検出する処理と、前記表示部にすでに表示されている第１の入力キーと略同一の箇所に第２の入力キーを表示する処理と、をコンピュータに実行させる。
【発明の効果】
【００３２】
本発明に係る携帯電子機器の入力装置、その制御方法、及びプログラムによると、入力キーが配置される領域の面積を削減することができる。
【図面の簡単な説明】
【００３３】
【図１】本発明の一実施形態に係る入力装置の構成を示すブロック図である。
【図２】本発明の実施例１に係る携帯電話機の断面図及び分解図である。
【図３】本発明の実施例１に係る携帯電話機の平面図である。
【図４】本発明の実施例１に係る携帯電話機による効果を説明するための図である。
【図５】本発明の実施例１に係る携帯電話機の平面図である。
【図６】本発明の実施例１に係る携帯電話機による効果を説明するための図である。
【図７】本発明の実施例１に係る携帯電話機のテンキー操作時の動作を説明するための図である。
【図８】本発明の実施例１に係る携帯電話機の決定キー操作時の動作を説明するための図である。
【図９】本発明の実施例１に係る携帯電話機の方向キー操作時の動作を説明するための図である。
【図１０】本発明の実施例１に係る携帯電話機のメニューキー操作時の動作を説明するための図である。
【図１１】本発明の第２の実施例に係る携帯電話機の断面図及び分解図である。
【図１２】本発明の実施例２に係る携帯電話機のテンキー操作時の動作を説明するための図である。
【図１３】本発明の実施例２に係る携帯電話機の決定キー操作時の動作を説明するための図である。
【図１４】本発明の実施例２に係る携帯電話機の方向キー操作時の動作を説明するための図である。
【図１５】本発明の実施例２に係る携帯電話機のメニューキー操作時の動作を説明するための図である。
【図１６】従来の携帯電話機の平面図である。
【図１７】従来の携帯電話機の平面図である。
【図１８】従来の携帯電話機の断面図である。
【図１９】従来の携帯電話機におけるセンターキーの操作を説明するための図である。
【図２０】従来の携帯電話機のキー操作における問題を説明するための図である。
【図２１】従来の携帯電話機のセンターキーのスライド操作における問題を説明するための図である。
【図２２】従来の携帯電話機の端に設けられたキーの操作における問題を説明するための図である。
【発明を実施するための形態】
【００３４】
第１の展開形態の入力装置は、上記の第１の視点に係る入力装置であることが好ましい。
【００３５】
第２の展開形態の入力装置は、上記所定の入力がタッチパネル部の所定箇所に対する接触又は押圧であってもよい。
【００３６】
第３の展開形態の入力装置は、上記所定の入力が所定箇所に対する接触又は押圧が所定期間に亘って継続することであってもよい。
【００３７】
第４の展開形態の入力装置は、上記所定の入力がタッチパネル部において第１の所定箇所から第２の所定箇所まで連続して行われた接触又は押圧であってもよい。
【００３８】
第５の展開形態の入力装置は、表示部が第１の入力キーの上に第２の入力キーを重ね合わせて表示してもよい。
【００３９】
第６の展開形態の入力装置は、表示部が第１の入力キーの表示を消去して第２の入力キーを表示してもよい。
【００４０】
第７の展開形態の入力装置は、タッチパネル部が静電容量方式に基づく第１のタッチパネルを有していることが好ましい。
【００４１】
第８の展開形態の入力装置は、制御部が、第１のタッチパネルによって検出された静電容量に基づいて表示部に対する表示内容を制御してもよい。
【００４２】
第９の展開形態の入力装置は、制御部が第１のタッチパネルによって検出された静電容量に基づいて入力キーの選択を確定することが好ましい。
【００４３】
第１０の展開形態の入力装置は、タッチパネル部が第１のタッチパネルと表示部との間に感圧方式の第２のタッチパネルを有していることが好ましい。
【００４４】
第１１の展開形態の入力装置は、制御部が第１のタッチパネルによって検出された静電容量に基づいて表示部に対する表示内容を制御するとともに、第２のタッチパネルによって検出された圧力の変化に基づいて入力キーの選択を確定してもよい。
【００４５】
第１２の展開形態の入力装置は、第１の入力キーが、テンキーであって第２の入力キーが、決定キー、方向キー、及びメニューキーのうちの少なくともいずれかを含むことが好ましい。
【００４６】
第１３の展開形態の携帯電子機器は、上記の第２の視点に係る携帯電子機器であることが好ましい。
【００４７】
第１４の展開形態の携帯電子機器は、機器本体と前記入力装置とをつなぐ弾性部材をさらに備え、入力装置が設置面に平行な方向へスライド可能であることが好ましい。
【００４８】
第１５の展開形態の携帯電子機器は、弾性部材がエラストマーであってもよい。
【００４９】
第１６の展開形態の携帯電子機器は、入力装置の位置を検出する位置検出部を備えていることが好ましい。
【００５０】
第１７の展開形態の携帯電子機器は、位置検出部が入力装置に設けられた磁石の位置を検出するホール素子を有していてもよい。
【００５１】
第１８の展開形態の入力装置の制御方法は、上記の第３の視点に係る制御方法であることが好ましい。
【００５２】
（実施形態）
本発明の一実施形態に係る入力装置について、図面を参照して説明する。図１は、本実施形態に係る入力装置の構成を示すブロック図である。
【００５３】
図１を参照すると、入力装置１６は、表示部１７、タッチパネル部１８、及び、制御部１９を備えている。表示部１７は、複数の入力キーを表示する。タッチパネル部１８は、表示部１７上に設けられた少なくとも１枚のタッチパネルを含む。制御部１９は、タッチパネル部１８に対する所定の入力に応じて、すでに表示されている第１の入力キーと略同一の箇所に第２の入力キーを表示するように表示部１７を制御する。
【００５４】
入力装置１６によると、入力キーが配置される領域の面積を削減することができる。表示部１７は、タッチパネル部１８に対する所定の入力に応じて、表示部１７にすでに表示されている第１の入力キーと略同一の箇所に第２の入力キーを表示するように、制御部１９によって制御される。したがって、利用者は、表示部１７において略同一箇所に表示される第１の入力キーと第２の入力キーとを用いて、入力装置１６に対する入力操作を行うことができる。すなわち、利用者は、指又はタッチペン等をほとんど移動させることなく、複数の入力キーに対する入力操作を完了することができる。
【００５５】
上記の所定の入力は、タッチパネル部１８の所定箇所に対する接触又は押圧であってもよい。また、上記の所定の入力は、所定箇所に対する接触又は押圧が所定期間に亘って継続することであってもよい。さらに、上記の所定の入力は、タッチパネル部１８における一の所定箇所から他の所定箇所までの連続した接触又は押圧であってもよい。
【００５６】
表示部１７は、第１の入力キーの上に第２の入力キーを重ね合わせて表示するようにしてもよい。また、表示部１７は、第１の入力キーの表示を消去して第２の入力キーを表示するようにしてもよい。これにより、入力装置１６が第２の入力キーの入力を受け付けることができる状態にあることを、利用者に対して通知することができる。
【００５７】
タッチパネル部１８は、静電容量方式に基づく第１のタッチパネルを有していることが好ましい。このとき、制御部１９は、第１のタッチパネルによって検出された静電容量に基づいて表示部１７に対する表示内容を制御するようにしてもよい。また、制御部１９は、第１のタッチパネルによって検出された静電容量に基づいて入力キーの選択を確定するようにしてもよい。
【００５８】
タッチパネル部１８は、第１のタッチパネルと表示部１７との間に感圧方式の第２のタッチパネルを有していることが好ましい。このとき、制御部１９は、第１のタッチパネルによって検出された静電容量に基づいて表示部１７に対する表示内容を制御するとともに、第２のタッチパネルによって検出された圧力の変化に基づいて入力キーの選択を確定するようにしてもよい。複数のタッチパネルを設けることによって、利用者の入力操作のバリエーションを増やすことができる。一例として、タッチパネル部１８に対して、静電容量方式のタッチパネルと、感圧方式のタッチパネルとを設けることによって、入力装置１６は、利用者によるタッチパネルへの接触のみならず、利用者によるタッチパネルへの押圧をも検出することができる。
【００５９】
上記の第１の入力キーは、テンキーであって、上記の第２の入力キーは、決定キー、方向キー、及びメニューキーの少なくともいずれかを含むことが好ましい。表示部１７は、一例として、第１のキーをデフォルトとして表示し、所定の入力があった場合に、第２のキーを表示するようにしてもよい。表示部１７は、利用頻度の高い入力キーをデフォルトとして表示することが好ましい。
【００６０】
携帯電子機器は、上記の入力装置１６を備えていることが好ましい。また、携帯電子機器は、本体と入力装置１６とをつなぐ弾性部材をさらに備えていることが好ましい。このとき、入力装置１６は、設置された面に平行な面内においてスライド可能となる。弾性部材はエラストマーであってもよい。
【００６１】
さらに、携帯電子機器は、入力装置１６がスライドされた場合にその位置を検出する位置検出部を備えていることが好ましい。位置検出部は、入力装置１６に設けられた磁石の位置を検出するホール素子を有していてもよい。
【実施例１】
【００６２】
（構成）
本発明に係る入力装置を携帯電話機に適用した実施例について図面を参照して説明する。【００６３】
図２は、本実施例に係る入力装置を設けた携帯電話機の断面図（図２（Ａ））及び分解図（図２（Ｂ））である。入力装置１０は、第２筐体３０の内側に設けられる。入力装置１０は、第１タッチパネル１１、表示部１３、永久磁石１４、及び、ハウジング１５を有する。【００６４】
エラストマー２０は、第２筺体３０とハウジング１５を弾性的に繋ぎ、防塵及び防水の役割を果たす。ハウジング１５には、第１タッチパネル１１、表示部１３、及び、永久磁石１４が配置される。第１タッチパネル１１は、親指が接触した場合に接点動作を行う。表示部１３は、テンキー６０、決定キー５２、方向キー５４、メニューキー８０を表示することができる。永久磁石１４は、アナログポインタ５３の位置検出を可能とするためのものである。ホール素子４２は、第２基板４１に設けられ、ハウジング１５内の永久磁石１４に基づいてアナログポインタ５３の位置を検出する。【００６５】
なお、ハウジング１５とエラストマー２０は熱溶着されている。また、エラストマー２０及び第２基板４１は第２筺体３０にネジで固定されている。したがって、センターキー５１と第２筐体３０は、エラストマー２０によって弾性的に繋がれている。ゆえに、エラストマー２０による接続部は、センターキー５１と第２筐体３０との間の防塵及び防水の役割を果たす。入力装置１０は、第２筐体３０のキー配置面に平行な任意の方向にスライド稼動可能である。【００６６】
図３は本実施例に係る入力装置１０を設けた携帯電話機の平面図である。図３（Ａ）〜（Ｃ）を参照すると、入力装置１０は、第２筐体３０のキー配置面の中央よりも上側（第１筐体側）に配置されている。表示部１３に表示可能なテンキー６０、決定キー５２、方向キー５４、及びメニューキー８０は、表示部１３に表示される。入力装置１０の中心は、第２筐体３０のキー配置面において、テンキー６０の中心とほぼ同一箇所に配置されている。入力装置１０は、テンキー６０、決定キー５２、方向キー５４、及びメニューキー８０の機能を併せ持った大型のキースイッチである。【００６７】
入力装置１０は、アナログポインタ５３及び決定キー５２として機能する。方向キー５４は、「上」キー５５、「下」キー５６、「左」キー５７、及び「右」キー５８を有する。テンキー６０は、発信キー７１、クリアキー７２、電源キー７３、「１」キー６１、「２」キー６２、「３」キー６３、「４」キー６４、「５」キー６５、「６」キー６６、「７」キー６７、「８」キー６８、「９」キー６９、「０」キー７０、「＊」キー７４、及び「＃」キー７５を有する。メニューキー８０は、メールキー８１、インターネットキー８２、第１メニューキー８３、及び、第２メニューキー８４を有する。【００６８】
（動作）
次に、入力キーを操作する場合の動作について説明する。【００６９】
図５〜図１０は、本発明の実施例１における、携帯電話機の入力キーを操作するときの動作を説明するための図である。図５（Ａ）は、本発明の実施例１における、携帯電話機の平面図である。図３、図５（Ｂ）、（Ｃ）、図６は、本実施例における携帯電話機の筐体のうちのキーが配置された第２筺体３０の平面図である。図２（Ａ）は、本発明の実施例１における、携帯電話機の入力装置１０の断面図である。図２（Ｂ）は、図２（Ａ）の分解図である。【００７０】
（テンキーの入力）
図５（Ｂ）の「５」キー６５を入力する場合の動作について説明する。「５」キー６５は、図５（Ｂ）及び図７のテンキー６０の中心にある四角形のキーである。テンキー６０を使う場合には、テンキー表示トリガーによってテンキー６０を表示させる（図７（Ａ））。次に、親指がテンキー６０に接触すると、親指の静電気を検知することにより、静電容量方式の第１タッチパネル１１が接点動作を行い、接触箇所の近くの入力キーに対して、その入力キーが選択されていることを示すカーソルが表示される（図７（Ｂ））。次に、親指を第１タッチパネル１１に接触させたまま移動すると、それに伴ってカーソルも移動する（図７（Ｃ））。親指を「５」キー６５へ移動すると、カーソルは「５」キー６５に対して表示される（図７（Ｄ）。次に、親指をそのままにして接触状態を保持すると、状態保持トリガーにより、「５」キー６５のキーの面積が拡大して表示され、カーソルも表示される（図７（Ｅ）。次に、親指をそのままにして、その接触状態を保持すると、状態保持トリガーにより、「５」キー６５の入力が決定される（図７（Ｆ））。以上の動作によって、第１筐体３１の表示画面３２において番号又は文字が入力される。【００７１】
テンキー６０を表示する表示部１３の面積が小さい場合には、各入力キーの面積が小さくなる。入力キーの面積が小さい場合には、キーが選択されたことを示すカーソルは親指に遮られて視認できなくなり、誤った入力を招くおそれがある。そこで、入力キーの面積の小さいキーを選択する場合には、入力キーの面積を拡大して表示することにより、視認性を向上し、誤った入力を防ぐことができる。【００７２】
（決定キーの入力）
図５（Ｃ）の決定キー５２を入力する場合の動作について説明する。決定キー５２は、図５（Ｃ）及び図８において、テンキー６０の中心付近に表示された丸型のキーである。決定キー５２を使う場合には、テンキー表示トリガーでテンキー６０を表示させる（図８（Ａ））。次に、親指がテンキー６０の「５」キー６５付近に接触すると、親指の静電気を検知することにより、静電容量方式の第１タッチパネル１１が接点動作を行い、「５」キー６５に対して、その入力キーが選択されていることを示すカーソルが表示される（図８（Ｂ））。次に、親指の腹全体を「５」キー６５付近の第１タッチパネル１１に接触させると、カーソルが「５」キー６５の周辺の入力キーに対しても表示される（図８（Ｃ））。次に、親指をそのままにして接触状態を保持すると、状態保持トリガーにより、決定キー５２が「５」キー６５近辺の上に表示され、カーソルも表示される（図８（Ｄ））。次に、親指をそのままにして接触状態を保持すると、状態保持トリガーにより、決定キー５２の入力が決定される（図８（Ｅ））。以上の動作によって、第１筐体３１の表示画面３２において、番号又は文字の選択が確定する。【００７３】
（方向キーの入力）
図６（Ａ）に示した方向キー５４の「上」キー５５を入力する場合の動作について説明する。「上」キー５５は、図６（Ａ）及び図９のテンキー６０の上端に表示されている五角形のキーである。方向キー５４を使う場合には、テンキー表示トリガーによってテンキー６０を表示させる（図９（Ａ））。次に、親指がテンキー６０の「５」キー６５付近に接触すると、指の静電気を検知することにより、静電容量方式の第１タッチパネル１１が接点動作を行い、「５」キー６５に対して、その入力キーが選択されていることを示すカーソルが表示される（図９（Ｂ））。次に、親指の腹全体を「５」キー６５付近の第１タッチパネル１１に接触させると、カーソルが「５」キー６５の周辺の入力キーに対しても表示される（図９（Ｃ））。次に、親指の腹全体を第１タッチパネル１１に接触させたままテンキー６０の上端へ移動すると、テンキー６０の上端付近の複数の入力キーに対してカーソルが表示される（図９（Ｄ））。次に、親指をそのままにして接触状態を保持すると、状態保持トリガーにより、「上」キー５５がテンキー６０の上端に表示され、カーソルも表示される（図９（Ｅ））。次に、親指をそのままにして接触状態を保持すると、状態保持トリガーにより、「上」キー５５の入力が決定される（図９（Ｆ））。以上の動作によって、第１筐体３１の表示画面３２上で、番号、文字、又はメニューが上側に選択される。【００７４】
（メニューキーの入力）
図６（Ｂ）のメニューキー８０に含まれるメールキー８１を入力する場合の動作について説明する。メールキー８１は、図６（Ｂ）及び図１０の、テンキー６０左上端部に表示されている正五角形のキーである。メニューキー８０を使う場合には、テンキー表示トリガーでテンキー６０を表示させる（図１０（Ａ））。次に、親指がテンキー６０の「５」キー６５付近に接触すると、親指の静電気を検知することにより、静電容量方式の第１タッチパネル１１が接点動作を行い、「５」キー６５に対して、その入力キーを選択されていることを示すカーソルが表示される（図１０（Ｂ））。次に、親指の腹全体を「５」キー６５付近の第１タッチパネル１１に接触させると、カーソルが「５」キー６５の周辺の入力キーに対しても表示される（図１０（Ｃ））。次に、親指の腹全体を第１タッチパネル１１に接触させたままテンキー６０の左上端へ移動すると、テンキー６０の左上端付近の複数の入力キーに対してカーソルが表示される（図１０（Ｄ））。次に、親指をそのままにして接触状態を保持すると、状態保持トリガーにより、メニューキー８０のメールキー８１が、テンキー６０の左上端に表示され、カーソルも表示される（図１０（Ｅ））。次に、親指をそのままにして接触状態を保持すると、状態保持トリガーにより、メールキー８１の入力が決定される（図１０（Ｆ））。以上の動作によって、第１筐体３１の表示画面３２上で、メールメニューが選択される。【００７５】
（キー操作を制御するトリガー）
テンキー６０、決定キー５２、方向キー５４、及びメニューキー８０の操作を制御するためのトリガー（指令）として、テンキー表示トリガー、及び、状態保持トリガーがある。【００７６】
テンキー表示トリガーは、例えば、以下のようにして発生するようにしてもよい。表示部１３がテンキー６０を表示していない状態において、第１タッチパネル１１に親指が接触する。すると、親指の静電気を検知することにより、静電容量方式の第１タッチパネル１１が接点動作を行う。これによって、テンキー表示トリガーが発生する。【００７７】
一方、状態保持トリガーは、例えば、以下のようにして発生するようにしてもよい。表示部１３に表示された入力キーを選択した状態を保持する目的で、親指を第１タッチパネル１１に接触して保持する。すると、指の静電気を検知する静電容量方式の第１タッチパネル１１の接点動作は、一定時間保持される。これにより、状態保持トリガーが発生する。【００７８】
テンキー６０、決定キー５２、方向キー５４、及び、メニューキー８０の入力決定後は、テンキー表示状態（テンキー表示トリガーによりテンキー６０が表示された状態）に戻ることが好ましい。これによって、親指を第１タッチパネル１１に接触したまま、入力キーに対する連続的な操作が可能となる。すなわち、連続して入力キーを操作する場合には、親指を第１タッチパネル１１上で滑らせては停止させる動作を繰り返すだけでよい。したがって、入力キーを押下する動作や軽く叩いたりする動作を必要としない。【００７９】
（キー選択操作途中キャンセル）
操作途中で親指を第１タッチパネル１１から離すことによって、親指の静電気が検出されなくなるため、静電容量方式の第１タッチパネル１１の接点動作が終了する。これにより、キー選択操作を全てキャンセルし、テンキー表示状態（テンキー表示トリガーによりテンキー６０が表示された状態）に戻るようにしてもよい。【００８０】
（アナログポインタ）
図６（Ｃ）の入力装置１０をスライド操作する場合の動作について説明する。入力装置１０は、図６（Ｃ）を参照すると、アナログポインタ５３でもある。アナログポインタ５３を使う場合には、入力装置１０を第２筐体３０のキー配置面に並行な任意の方向にスライドさせる。このとき、入力装置１０に設けた永久磁石１４の位置がホール素子４２によって検出され、第１筐体３１の表示画面３２のポインタ３３を任意の方向へ移動することができる。ハウジング１５に溶着されているエラストマー２０は、第２基板４１とともに第２筺体３０へネジ止めされているため、入力装置１０と第２筐体３０は、エラストマー２０によって弾性的に繋がれている。したがって、入力装置１０は、第２筐体３０のキー配置面に平行な任意の方向にスライド可能である。また、入力装置１０は、第２筐体３０に対してずれることはない。また、ハウジング１５と第２基板４１は軽く接触しているため、入力装置１０は第２筐体３０内へ沈み込むこともない。したがって、入力装置１０を滑らかにスライド動作させることができる。【００８１】
（キー操作とアナログポインタの切り替え）
テンキー６０、決定キー５２、方向キー５４、及び、メニューキー８０を操作する場合には、親指を第１タッチパネル１１上に軽く乗せ、第１タッチパネル１１上で滑らせる。このとき、親指をスライドさせるために必要とされるスライド荷重は数ｇｆ程度とすることが好ましい。【００８２】
一方、センターキー５１のアナログポインタ５３をスライド操作する場合には、親指を第１タッチパネル１１上に強く押し付ける。さらに、親指と第１タッチパネル１１が設けられたセンターキー５１を、第２筐体３０に対して滑らせる。このとき、親指をスライドさせるために必要とされるスライド荷重は数１０ｇｆとすることが好ましい。これによって、利用者は、テンキー６０の操作とアナログポインタ５３の操作とを区別することができる。【００８３】
（効果）
本実施例の入力装置１０によると、以下の第１乃至第４の効果がもたらされる。【００８４】
第１の効果として、利用者は素早く入力を行うことができる。テンキー６０の中心と決定キー５２は、ほぼ同一の箇所にある。したがって、メールの文字入力をする際、テンキー６０と、決定キー５２との間を移動する親指の移動量を短くすることができるからである。また、親指を第１タッチパネル１１上で滑らせたり、停止させたりする動作を繰り返すことによって入力が行われる。したがって、入力キーを押下したり、軽く叩いたりする動作は必要とされない。ゆえに、本実施の入力装置１０によると、入力キーが配置される領域の面積を削減することができる。また、本実施例の入力装置１０によると、従来の入力装置と比較して、入力に要する指の運動を削減し、素早い入力が可能となる。【００８５】
第２の効果として、親指の皮膚が乾燥していても、センターキー１５１のスライド操作がうまくできる。本実施例の入力装置１０の第１タッチパネル１１の面積は、従来の入力装置におけるセンターキー１５１の面積よりも十分に大きい。したがって、入力装置１０のスライド操作は、親指の腹全体を用いて行うことができる。ゆえに、親指の皮膚が乾燥している場合であっても、第１タッチパネル１１と親指との間に大きい摩擦力が働くからである。【００８６】
第３の効果として、端に位置する入力キーを入力する際、親指が届き易く、端に位置する入力キーを押すときに生じる筐体のにぎり不足が解消されて押し易い。すべての入力キーは表示部１３に集約され、キーが配置された領域の面積は小型化されているからである。また、親指を第１タッチパネル１１上で滑らせたり停止させたりする動作に基づいて入力が行われることから、筐体にぎり不足は生じないからである。【００８７】
第４の効果として、キー配置領域の面積を削減することができる。十字キー５０の中心とテンキー６０の中心とが同一箇所とされているからである。【００８８】
以上の第１乃至第４の効果がもたらされる機構について、以下において、さらに詳細に説明する。【００８９】
（第１の効果）
図５（Ｂ）、（Ｃ）、図６（Ａ）、（Ｂ）は、本実施例１に係る携帯電話機によって、入力操作に要する時間が短縮されることを説明するための図である。図５（Ｂ）、（Ｃ）、図６（Ａ）、（Ｂ）を参照すると、本実施例１に係る携帯電話機において、テンキー６０、決定キー５２、方向キー５４、及び、メニューキー８０は、入力装置１０の表示部１３の内側に表示され、テンキー６０の中心は、第２筐体３０のキー配置面において決定キー５２の中心と同一の箇所に配置されている。【００９０】
メール等の文字入力において、決定キー５２によって、選択項目を決定する場合を考える。まず、親指をテンキー６０へ移動して文字を入力する。いくつかの文字か入力した後、決定キー５２によって入力した文字を確定するため、親指をテンキー６０中心の「５」キー６５へ移動する。次に、「５」キー６５上に表示された決定キー５２により、文字の決定を行う。以上の動作における親指の移動範囲は、テンキー６０の内側に限られる。したがって、テンキー６０と決定キー５２との間を移動する親指の移動距離は、決定キー５２がテンキー６０の外側に設けられた従来の携帯電話機と比較して短くなる。したがって、本実施例の入力装置１０によると、素早い入力操作が可能となる。【００９１】
次に、メール等の文字入力において、方向キー５４で、選択項目を上にする場合を考える。まず、親指をテンキー６０へ移動し、方向キー５４を入力するために、テンキー６０上端へ移動する。次に、テンキー６０の上端に表示された方向キー５４の「上」キー５５によって入力を行う。以上の動作における親指の移動範囲は、テンキー６０の内側に限られる。したがって、テンキー６０と方向キー５４の「上」キー５５と間を移動する親指の移動距離は、方向キー５４の「上」キーがテンキー６０の外側に設けられた従来の携帯電話機と比較して短くなる。したがって、本実施例の入力装置１０によると、素早い入力操作が可能となる。【００９２】
次に、メール等の文字入力において、メニューキー８０で、入力文字の様式を切り替える場合を考える。まず、親指をテンキー６０へ移動し、メニューキー８０を入力するために、テンキー６０の左上端へ移動する。次に、テンキー６０の左上端に表示されたメニューキー８０のメールキー８１によって、入力文字様式の切り替えを行う。以上の動作における親指の移動範囲は、テンキー６０の内側に限られる。したがって、テンキー６０とメニューキー８０のメールキー８１との間の親指の移動距離は、メニューキー８０のメールキーがテンキー６０の外側に設けられた従来の携帯電話機と比較して短くなる。したがって、本実施例の入力装置１０によると、入力操作の操作性が向上し、素早い入力が可能となる。【００９３】
また、連続して入力を行う場合には、まず、親指をテンキー６０が配置された領域内の入力したいキーへ移動してキー入力を行う。次に、親指をテンキー６０が配置された領域内の入力したいキーへ移動してキー入力を行う。このように、第１タッチパネル１１上で親指を滑らせたり停止させたりする動作を繰り返すことによって入力が行われる。この操作における親指の動作は、親指の移動、及び、停止のみである。したがって、本実施例の入力装置１０によると、親指の移動、親指の押し下げ、及び、親指の引き離しの動作が必要とされる従来のキー入力における動作と比較して動作の工数が削減される。ゆえに、本実施例の入力装置１０によると、入力操作の操作性が向上し、素早い入力が可能となる。【００９４】
（第２の効果）
図６（Ｃ）は、本実施例に係る携帯電話機の入力装置１０のスライド操作の操作性について説明するための図である。図６（Ｃ）に示した携帯電話機において、第１タッチパネル１１は、従来のセンターキーと比較して十分に大きい面積を有する。【００９５】
スライド操作を行う場合には、まず、親指を第１タッチパネル１１上へ移動し、親指の腹全体で接触する。次に、親指をキー配置面に並行な任意の方向へスライドさせて、入力装置１０をスライドさせる。このとき、親指の皮膚が乾燥していても、第１タッチパネル１１と親指との間に十分大きい摩擦力が働く。したがって、入力装置１０のスライド操作の操作性が向上し、指の滑りを防ぐことができる。【００９６】
（第３の効果）
図５（Ｂ）、（Ｃ）、図６（Ａ）、（Ｂ）は、本実施例１に係る携帯電話機の端に位置する入力キーの入力操作の操作性の向上について説明するための図である。図５（Ｂ）、（Ｃ）、図６（Ａ）、（Ｂ）を参照すると、テンキー６０、決定キー５２、方向キー５４、メニューキー８０は、いずれも、入力装置１０の表示部１３に表示され、キー配置領域の面積は従来の携帯電話機と比較して削減されている。【００９７】
端に位置するメニューキー８０を入力する場合には、まず、親指をテンキー６０が配置された領域へ移動し、メニューキー８０を入力するために、親指をテンキー６０の左上端へ移動する。次に、テンキー６０の左上端に表示されたメニューキー８０のメールキー８１に対する入力を行う。以上の操作において、親指が移動する範囲は、テンキー６０の内側に限られる。したがって、親指はテンキー６０の内側に表示されるメニューキー８０に十分に届き、入力が容易となる。【００９８】
また、入力時には、親指をテンキー６０が表示された領域の左上端へ移動し、キー入力を行う。かかる操作に含まれる親指の動作は、親指の移動及び停止のみである。したがって、親指の移動、押し下げ、及び、引き離しの動作が必要とされる従来のキー入力において、親指を引き離した際の生じる筐体のにぎりが不足を避けることができ、端に位置する入力キーの入力が容易となる。【００９９】
（第４の効果）
図４は、本実施例に係る携帯電話機によって、キーが配置される領域の面積が削減する効果がもたらされることを説明するための図である。図４（Ａ）は、従来の携帯電話機である。図４（Ｂ）は、テンキー６０のサイズを小型化し、十字キー５０、テンキー６０、及び、メニューキー８０の配置を変更した携帯電話機である。図４（Ｃ）は、本実施例に係る携帯電話機である。【０１００】
図４（Ｃ）を参照すると、テンキー６０、決定キー５２、方向キー５４、及び、メニューキー８０は、いずれも、入力装置１０の表示部１３内に表示される。したがって、図４（Ｃ）の携帯電話機においては、図４（Ａ）の携帯電話機と比較して、キー配置領域が幅（Ａ１＋Ａ２＋Ａ３＋Ａ４＋Ａ５）だけ削減されている。また、図４（Ｃ）の携帯電話機においては、図４（Ｂ）の携帯電話機と比較して、キー配置領域が幅Ａ５だけ削減されている。
【実施例２】
【０１０１】
本発明の第２の実施例に係る入力装置について、図面を参照して説明する。図１１は、本実施例に係る入力装置を設けた携帯電話機の断面図及び分解図である。図１１（Ａ）は、図３（Ａ）に示した携帯電話機のａ５−ａ６断面図に相当する。図１１（Ｂ）は、携帯電話機の分解図である。【０１０２】
図１１（Ａ）を参照すると、入力装置９０は、第１タッチパネル９１、第２タッチパネル９２、表示部９３、永久磁石９４、及び、ハウジング９５を有する。本実施例の入力装置９０は、第１の実施例の入力装置１０（図２）における第１タッチパネル（静電容量方式）１１と表示部１３の間に、さらに、第２タッチパネル（抵抗膜方式）９２を有する。【０１０３】
図３、図１１（Ａ）、（Ｂ）、図１２〜図１５は、本実施例に係る携帯電話機のキー操作時の動作を説明するための図である。【０１０４】
テンキー６０、決定キー５２、方向キー５４、メニューキー８０の入力を決定する場合には、それぞれ、テンキー６０、決定キー５２、方向キー５４、及び、メニューキー８０を押下する。すると、親指の接触圧が検知され、抵抗膜方式の第２タッチパネル９２が接点動作を行うことによって、テンキー６０、決定キー５２、方向キー５４、及び、メニューキー８０の入力が決定される。以上の決定動作以外の動作は、実施例１の入力装置１０に対する動作と同様である。【０１０５】
図１２は、本実施例に係る携帯電話機のテンキー操作時の動作を説明するための図である。図１２（Ａ）〜（Ｅ）における動作は、実施例１の入力装置１０に対する動作（図７（Ａ）〜（Ｅ））と同様である。本実施例においては、入力キーを確定する場合、利用者は第１タッチパネル９１を押下し、第２タッチパネル９２によって圧力の変化を検出する（図１２（Ｆ））。【０１０６】
図１３は、本実施例に係る携帯電話機の決定キー１５２操作時の動作を説明するための図である。図１３（Ａ）〜（Ｄ）における動作は、実施例１の入力装置１０に対する動作（図８（Ａ）〜（Ｄ））と同様である。本実施例においては、入力キーを確定する場合、利用者は第１タッチパネル９１を押下し、第２タッチパネル９２によって圧力の変化を検出する（図１３（Ｅ））。【０１０７】
図１４は、本実施例に係る携帯電話機の方向キー１５４操作時の動作を説明するための図である。図１４（Ａ）〜（Ｅ）における動作は、実施例１の入力装置１０に対する動作（図９（Ａ）〜（Ｅ））と同様である。本実施例においては、入力キーを確定する場合、利用者は第１タッチパネル９１を押下し、第２タッチパネル９２によって圧力の変化を検出する（図１４（Ｆ））。【０１０８】
図１５は、本実施例に係る携帯電話機のメニューキー操作時の動作を説明するための図である。図１５（Ａ）〜（Ｅ）における動作は、実施例１の入力装置１０に対する動作（図１０（Ａ）〜（Ｅ））と同様である。本実施例においては、入力キーを確定する場合、利用者は第１タッチパネル９１を押下し、第２タッチパネル９２によって圧力の変化を検出する（図１５（Ｆ））。【０１０９】
以上の記載は実施例に基づいて行ったが、本発明は、上記実施例に限定されるものではない。【０１１０】
実施例１及び２において、アナログポインタ５３は「ジョグ」でもよい。また、実施例１及び２において、アナログポインタ５３はなくてもよい。このとき、接続部のエラストマー２０を省略し、第２筐体３０とハウジング１５（ないし９５）とが直接繋がっていてもよい。【０１１１】
実施例１及び２において、方向キー５４は「ジョグ」でもよい。【０１１２】
実施例１及び２において、入力装置１０（ないし９０）のキートップの形状は円に限らない。キートップの形状は任意の形状でよい。例えば、キートップの形状は、楕円、３角形、４角形、星形、外周が曲線から成るもの、外周が曲線と直線との組合せから成るものであってもよい。【０１１３】
実施例１及び２において、テンキー、決定キー、方向キー、及びメニューキーの形状は、任意の形状としてもよい。例えば、これらのキーの形状は、円、楕円、３角形、４角形、星形、外周が曲線から成るもの、外周が曲線と直線との組合せから成るものであってもよい。【０１１４】
実施例１及び２において、第１タッチパネル１１（ないし９１）及び第２タッチパネル９２の接点方式は、抵抗膜式、静電容量式、電磁誘導式、表面弾性波方式、又は圧電式であってもよい。【０１１５】
実施例１及び２において、入力キーを操作する場合におけるキーエリアの拡大は、テンキーに限らず、決定キー、方向キー、メニューキーなどの入力キーにおいても同様としてもよい。【０１１６】
実施例１及び２において、入力キーを操作する場合において、最初に親指が第１タッチパネル１１に接触する位置は、「５」キー６５の付近に限らず、任意の箇所としてもよい。【０１１７】
実施例１及び２において、第１タッチパネル１１の入力決定は、第１タッチパネル１１に親指を接触して離す動作（または、キー押下動作、もしくはキーを軽く叩く動作）としてもよい。【０１１８】
実施例１及び２において、テンキー表示トリガーは、表示部１３においてテンキー６０が表示されていない場合における、第１タッチパネル１１への指の接触に限らず、アナログポインタの操作、サイドキー入力、筐体を開く動作としてもよい。【０１１９】
実施例１及び２において、状態保持トリガーは、指を第１タッチパネル１１に接触したまま保持することに限らず、キー配置面に並行な任意の方向へ指をわずかに移動させることとしてもよい。【０１２０】
なお、実施例１及び２において、携帯電子機器として、一例として、携帯電話機について説明した。しかし、本発明に係る入力装置は、携帯ゲーム機、携帯コンピュータ、携帯音楽プレイヤーのスイッチに適用することができ、卓上コンピュータ、テレビ、ビデオ、クーラーのリモコンのスイッチにも適用することができる。【０１２１】
実施例１及び２において、表示部１３（ないし９３）に表示される入力キーは、テンキー６０、決定キー５２、方向キー５４、メニューキー８０に限らず、スイッチが設けられた携帯電子機器又はリモコンの機能に応じたキーとしてもよい。一例として、表示部１３に対して、音楽再生キーや、ビデオ再生キーを表示するようにしてもよい。【０１２２】
なお、前述の特許文献等の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。【０１２３】
なお、上記実施形態の一部又は全部は、以下の付記として記載することができるものであるが、これらに限定されるものではない。【０１２４】
（付記１）携帯電子機器に対する入力装置であって、
複数の入力キーを表示する表示部と、
前記表示部上に設けられた少なくとも１枚のタッチパネルを含むタッチパネル部と、
前記タッチパネル部によって検出された所定の入力に応じて、すでに表示されている第１の入力キーと略同一の箇所に第２の入力キーを表示するように前記表示部を制御する制御部と、を備えていることを特徴とする入力装置。【０１２５】
（付記２）前記所定の入力は、前記タッチパネル部の所定箇所に対する接触又は押圧であることを特徴とする、付記１に記載の入力装置。【０１２６】
（付記３）前記所定の入力は、前記所定箇所に対する接触又は押圧が所定期間に亘って継続することであることを特徴とする、付記２に記載の入力装置。【０１２７】
（付記４）前記所定の入力は、前記タッチパネル部において第１の所定箇所から第２の所定箇所まで連続して行われた接触又は押圧であることを特徴とする、付記１に記載の入力装置。【０１２８】
（付記５）前記表示部は、前記第１の入力キーの上に前記第２の入力キーを重ね合わせて表示することを特徴とする、付記１乃至４のいずれか一に記載の入力装置。【０１２９】
（付記６）前記表示部は、前記第１の入力キーの表示を消去して前記第２の入力キーを表示することを特徴とする、付記１乃至４のいずれか一に記載の入力装置。【０１３０】
（付記７）前記タッチパネル部は、静電容量方式に基づく第１のタッチパネルを有していることを特徴とする、付記１乃至６のいずれか一に記載の入力装置。【０１３１】
（付記８）前記制御部は、前記第１のタッチパネルによって検出された静電容量に基づいて前記表示部に対する表示内容を制御することを特徴とする、付記７に記載の入力装置。【０１３２】
（付記９）前記制御部は、前記第１のタッチパネルによって検出された静電容量に基づいて入力キーの選択を確定することを特徴とする、付記７又は８に記載の入力装置。【０１３３】
（付記１０）前記タッチパネル部は、前記第１のタッチパネルと前記表示部との間に感圧方式の第２のタッチパネルを有していることを特徴とする、付記７乃至９のいずれか一に記載の入力装置。【０１３４】
（付記１１）前記制御部は、前記第１のタッチパネルによって検出された静電容量に基づいて前記表示部に対する表示内容を制御するとともに、前記第２のタッチパネルによって検出された圧力の変化に基づいて入力キーの選択を確定することを特徴とする、付記１０に記載の入力装置。【０１３５】
（付記１２）前記第１の入力キーは、テンキーであって、
前記第２の入力キーは、決定キー、方向キー、及びメニューキーのうちの少なくともいずれかを含むことを特徴とする、付記１乃至１１のいずれか一に記載の入力装置。【０１３６】
（付記１３）付記１乃至１２のいずれか一に記載の入力装置を備えていることを特徴とする携帯電子機器。【０１３７】
（付記１４）機器本体と前記入力装置とをつなぐ弾性部材をさらに備え、
前記入力装置は、設置面に平行な方向へスライド可能であることを特徴とする、付記１３に記載の携帯電子機器。【０１３８】
（付記１５）前記弾性部材はエラストマーであることを特徴とする、付記１４に記載の携帯電子機器。【０１３９】
（付記１６）前記入力装置の位置を検出する位置検出部を備えていることを特徴とする、付記１４又は１５に記載の携帯電子機器。【０１４０】
（付記１７）前記位置検出部は、前記入力装置に設けられた磁石の位置を検出するホール素子を有していることを特徴とする、付記１６に記載の携帯電子機器。【０１４１】
（付記１８）携帯電子機器に対する入力装置の制御方法であって、
コンピュータが、入力キーを表示する表示部上に設けられた少なくとも１枚のタッチパネルを含むタッチパネル部を介して所定の入力を検出する工程と、
前記表示部にすでに表示されている第１の入力キーと略同一の箇所に第２の入力キーを表示する工程と、を含むことを特徴とする制御方法。【０１４２】
（付記１９）コンピュータが、前記タッチパネル部に含まれる静電容量方式に基づく第１のタッチパネルによって検出された静電容量に基づいて、前記表示部に対する表示内容を制御する工程をさらに含むことを特徴とする、付記１８に記載の制御方法。【０１４３】
（付記２０）コンピュータが、前記第１のタッチパネルと前記表示部との間に設けられた感圧方式の第２のタッチパネルによって検出された圧力の変化に基づいて、前記表示部に表示された入力キーの選択を確定する工程をさらに含むことを特徴とする、付記１９に記載の制御方法。【０１４４】
（付記２１）携帯電子機器に対する入力装置を制御するプログラムであって、
入力キーを表示する表示部上に設けられた少なくとも１枚のタッチパネルを含むタッチパネル部を介して所定の入力を検出する処理と、
前記表示部にすでに表示されている第１の入力キーと略同一の箇所に第２の入力キーを表示する処理と、をコンピュータに実行させることを特徴とするプログラム。【０１４５】
（付記２２）前記タッチパネル部に含まれる静電容量方式に基づく第１のタッチパネルによって検出された静電容量に基づいて、前記表示部に対する表示内容を制御する処理をさらにコンピュータに実行させることを特徴とする、付記２１に記載のプログラム。【０１４６】
（付記２３）前記第１のタッチパネルと前記表示部との間に設けられた感圧方式の第２のタッチパネルによって検出された圧力の変化に基づいて、前記表示部に表示された入力キーの選択を確定する処理をさらにコンピュータに実行させることを特徴とする、付記２２に記載のプログラム。【０１４７】
（付記２４）付記２１乃至２３のいずれか一に記載のプログラムが記録されていることを特徴とするコンピュータ読み取り可能な記録媒体。
【符号の説明】
【０１４８】
１０、１６、９０、１１０  入力装置
１１、９１  第１タッチパネル
１３、１７、９３  表示部
１４、９４、１１４  永久磁石
１５、９５  ハウジング
１８  タッチパネル部
１９  制御部
２０、１２０  エラストマー
３０、１３０  第２筐体
３１、１３１  第１筐体
３２、１３２  表示画面
３３、１３３  ポインタ
４１、１４１  第２基板
４２、１４２  ホール素子
５０、１５０  十字キー
５１、１５１  センターキー
５２、１５２  決定キー
５３、１５３  アナログポインタ
５４、１５４  方向キー
５５、１５５  「上」キー
５６、１５６  「下」キー
５７、１５７  「左」キー
５８、１５８  「右」キー
６０、１６０  テンキー
６１、１６１  「１」キー
６２、１６２  「２」キー
６３、１６３  「３」キー
６４、１６４  「４」キー
６５、１６５  「５」キー
６６、１６６  「６」キー
６７、１６７  「７」キー
６８、１６８  「８」キー
６９、１６９  「９」キー
７０、１７０  「０」キー
７１、１７１  発信キー
７２、１７２  クリアキー
７３、１７３  電源キー
７４、１７４  「＊」キー
７５、１７５  「＃」キー
８０、１８０  メニューキー
８１、１８１  メールキー
８２、１８２  インターネットキー
８３、１８３  第１メニューキー
８４、１８４  第２メニューキー
９２  第２タッチパネル
１９１  第１基板
１９２  メタルドーム
１９３  突起
２００  端部
【図１】
2010107009.tif 000003
【図２】
2010107009.tif 000004
【図３】
2010107009.tif 000005
【図４】
2010107009.tif 000006
【図５】
2010107009.tif 000007
【図６】
2010107009.tif 000008
【図７】
2010107009.tif 000009
【図８】
2010107009.tif 000010
【図９】
2010107009.tif 000011
【図１０】
2010107009.tif 000012
【図１１】
2010107009.tif 000013
【図１２】
2010107009.tif 000014
【図１３】
2010107009.tif 000015
【図１４】
2010107009.tif 000016
【図１５】
2010107009.tif 000017
【図１６】
2010107009.tif 000018
【図１７】
2010107009.tif 000019
【図１８】
2010107009.tif 000020
【図１９】
2010107009.tif 000021
【図２０】
2010107009.tif 000022
【図２１】
2010107009.tif 000023
【図２２】
2010107009.tif 000024
【国際調査報告】
2010107009.tif 000025
2010107009.tif 000026
2010107009.tif 000027